(57)【要約】      （修正有）【課題】印刷を継続させることを優先したいであろう印刷ジョブを判断し、そのような印刷ジョブについては、不一致状態が発生しても印刷ジョブの実行を中断せずに継続することができる印刷装置を提供する。【解決手段】印刷装置は、印刷ジョブを取得する取得部と、前記印刷ジョブによって指定された印刷媒体の大きさと、前記印刷ジョブの実行中に供給部から供給された印刷媒体の大きさとが異なる不一致状態が発生しＳ１０８、かつ、前記印刷ジョブの実行時間の見積もりが予め定められた閾値以上となる時間条件を満たさない場合に、前記印刷ジョブの実行を中断する中断制御を行いＳ１１６、前記不一致状態が発生し、かつ、前記時間条件を満たす場合は、前記印刷ジョブの実行を継続する継続制御を行うＳ１２６制御部と、を備える。【選択図】図４
2020160188.tif 000002
【特許請求の範囲】
【請求項１】
印刷ジョブを取得する取得部と、
前記印刷ジョブによって指定された印刷媒体の大きさと、前記印刷ジョブの実行中に供給部から供給された印刷媒体の大きさとが異なる不一致状態が発生し、かつ、前記印刷ジョブの実行時間の見積もりが予め定められた閾値以上となる時間条件を満たさない場合に、前記印刷ジョブの実行を中断する中断制御を行い、前記不一致状態が発生し、かつ、前記時間条件を満たす場合は、前記印刷ジョブの実行を継続する継続制御を行う制御部と、
を備える印刷装置。
【請求項２】
前記制御部は、
前記時間条件を満たし、かつ、前記不一致状態が、前記供給部から２枚目以降に供給された印刷媒体において発生した場合において、前記継続制御を行う
請求項１に記載の印刷装置。
【請求項３】
前記制御部は、
前記時間条件を満たし、かつ、前記不一致状態を検出した検出回数が予め定められた閾値以下である場合において、前記継続制御を行う
請求項１又は２に記載の印刷装置。
【請求項４】
前記閾値の入力を受け付ける閾値入力受付部を備える
請求項３に記載の印刷装置。
【請求項５】
前記制御部は、前記印刷ジョブにおいて指定された供給部の印刷媒体が無くなると、印刷媒体が供給される供給部を他の供給部に切り替える切替制御を実行可能であり、
前記切替制御の非実行が指示され、且つ前記印刷ジョブにおいて収容枚数が予め定められた枚数以下である供給部が指定されている場合に前記継続制御を行うか否かについて、指示入力を受け付ける指示入力受付部を備える
請求項１〜４のいずれか１項に記載の印刷装置。
【請求項６】
前記制御部は、
前記指示入力受付部が前記継続制御を行う指示を受け付けた場合に前記切替制御を実行する
請求項５に記載の印刷装置。
【請求項７】
前記制御部は、
前記継続制御を行う場合に、前記不一致状態を生じた印刷媒体を特定する特定情報を提示する提示制御を行う
請求項１〜６のいずれか１項に記載の印刷装置。
【請求項８】
前記提示制御は、
前記不一致状態を生じ且つ排出部に排出された印刷媒体の次に、前記特定情報が印刷された印刷媒体を排出する制御である
請求項７に記載の印刷装置。
【請求項９】
印刷ジョブを取得する取得部と、
前記印刷ジョブによって指定された印刷媒体の大きさと、前記印刷ジョブの実行中に供給部から供給された印刷媒体の大きさとが異なる不一致状態が発生し、かつ、前記印刷ジョブによる印刷枚数が予め定められた閾値以上となる枚数条件を満たさない場合に、前記印刷ジョブの実行を中断する中断制御を行い、前記不一致状態が発生し、かつ、前記枚数条件を満たす場合は、前記印刷ジョブの実行を継続する継続制御を行う制御部と、
を備える印刷装置。
【請求項１０】
コンピュータを、請求項１〜９のいずれか１項に記載の各部として機能させるための印刷プログラム。
【発明の詳細な説明】
【技術分野】
【０００１】
本発明は、印刷装置、及び印刷プログラムに関する。
【背景技術】
【０００２】
特許文献１には、画像を記録材に記録する記録部と、前記記録部に記録材を搬送する搬送手段と、前記搬送手段に対して記録材を供給する給送手段と、前記搬送手段および前記給送手段の駆動を制御する制御手段と、を備え、前記給送手段から前記記録部までの記録材搬送経路長が、使用可能な最大サイズの記録材の搬送方向長さよりも短い印刷装置において、前記制御手段が、前記搬送手段が前記記録部に記録材を搬送すべく駆動を開始した後、記録材の先端が前記搬送手段と前記記録部の間にある時に、前記給送手段を駆動状態から非駆動状態に切り換え、前記搬送手段により搬送される記録材により前記給送手段を従動させることを特徴とする印刷装置が開示されている。
【０００３】
特許文献２には、印刷指示を受け付ける受付手段と、用紙収容部に対して設定されている用紙サイズを設定情報として記憶する記憶手段と、前記受付手段により受付けられた印刷指示において指定された用紙収容部に対して設定されている用紙サイズの情報を、前記記憶手段に記憶されている設定情報から取得し、取得した用紙サイズと、前記印刷指示において指定された用紙サイズとが異なる場合、前記印刷指示において指定されている用紙サイズを用いて印刷処理が実行されるよう制御する印刷制御手段と、を備えた印刷装置が開示されている。
【先行技術文献】
【特許文献】
【０００４】
【特許文献１】特開２０１１−２４８１７６号公報
【特許文献２】特開２０１７−２０８８００号公報
【発明の概要】
【発明が解決しようとする課題】
【０００５】
ここで、印刷ジョブによって指定された印刷媒体の大きさと、印刷ジョブの実行中に供給部から供給された印刷媒体の大きさとが異なる不一致状態が発生した場合は、基本的には、印刷ジョブの実行を中断して不一致により生じる不具合を回避するが、印刷ジョブの性質によっては、印刷を中断して不具合を回避することよりも、印刷ジョブの実行を継続させて終了させることを優先したいケースもある。
【０００６】
本発明の課題は、印刷を継続させることを優先したいであろう印刷ジョブを判断し、そのような印刷ジョブについては、不一致状態が発生しても印刷ジョブの実行を中断せずに継続することができる印刷装置を提供することにある。
【課題を解決するための手段】
【０００７】
第１態様は、印刷ジョブを取得する取得部と、前記印刷ジョブによって指定された印刷媒体の大きさと、前記印刷ジョブの実行中に供給部から供給された印刷媒体の大きさとが異なる不一致状態が発生し、かつ、前記印刷ジョブの実行時間の見積もりが予め定められた閾値以上となる時間条件を満たさない場合に、前記印刷ジョブの実行を中断する中断制御を行い、前記不一致状態が発生し、かつ、前記時間条件を満たす場合は、前記印刷ジョブの実行を継続する継続制御を行う制御部と、を備える。
【０００８】
第２態様では、前記制御部は、前記時間条件を満たし、かつ、前記不一致状態が、前記供給部から２枚目以降に供給された印刷媒体において発生した場合において、前記継続制御を行う。
【０００９】
第３態様では、前記制御部は、前記時間条件を満たし、かつ、前記不一致状態を検出した検出回数が予め定められた閾値以下である場合において、前記継続制御を行う。
【００１０】
第４態様は、前記閾値の入力を受け付ける閾値入力受付部を備える。
【００１１】
第５態様では、前記制御部は、前記印刷ジョブにおいて指定された供給部の印刷媒体が無くなると、印刷媒体が供給される供給部を他の供給部に切り替える切替制御を実行可能であり、前記切替制御の非実行が指示され、且つ前記印刷ジョブにおいて収容枚数が予め定められた枚数以下である供給部が指定されている場合に前記継続制御を行うか否かについて、指示入力を受け付ける指示入力受付部を備える。
【００１２】
第６態様では、前記制御部は、前記指示入力受付部が前記継続制御を行う指示を受け付けた場合に前記切替制御を実行する。
【００１３】
第７態様では、前記制御部は、前記継続制御を行う場合に、前記不一致状態を生じた印刷媒体を特定する特定情報を提示する提示制御を行う。
【００１４】
第８態様では、前記提示制御は、前記不一致状態を生じ且つ排出部に排出された印刷媒体の次に、前記特定情報が印刷された印刷媒体を排出する制御である。
【００１５】
第９態様は、印刷ジョブを取得する取得部と、前記印刷ジョブによって指定された印刷媒体の大きさと、前記印刷ジョブの実行中に供給部から供給された印刷媒体の大きさとが異なる不一致状態が発生し、かつ、前記印刷ジョブによる印刷枚数が予め定められた閾値以上となる枚数条件を満たさない場合に、前記印刷ジョブの実行を中断する中断制御を行い、前記不一致状態が発生し、かつ、前記枚数条件を満たす場合は、前記印刷ジョブの実行を継続する継続制御を行う制御部と、を備える。
【００１６】
第１０態様は、コンピュータを、第１〜９態様のいずれか１つに記載の各部として機能させるための印刷プログラムである。
【発明の効果】
【００１７】
第１態様の構成によれば、印刷を継続させることを優先したいであろう印刷ジョブを判断し、そのような印刷ジョブについて、不一致状態が発生しても印刷ジョブの実行を中断せずに継続することができる。
【００１８】
第２態様の構成によれば、不一致状態が、供給部から１枚目に供給された印刷媒体において発生した場合にも継続制御を行う場合に比べ、誤印刷枚数が低減される。
【００１９】
第３態様の構成によれば、不一致状態を検出した検出回数が予め定められた閾値を超える場合にも継続制御を行う場合に比べ、誤印刷枚数が低減される。
【００２０】
第４態様の構成によれば、閾値が一定である構成に比べ、継続制御を行う条件を調整できる。
【００２１】
第５態様の構成によれば、切替制御の非実行が指示され、且つ印刷ジョブにおいて収容枚数が予め定められた枚数以下である供給部が指定されている場合に、必ず中断制御を行う構成に比べ、印刷物の生産性の低下が抑制される。
【００２２】
第６態様の構成によれば、指示入力受付部が継続制御を行う指示を受け付けた場合でも、切替制御が非実行のままである構成に比べ、印刷物の生産性の低下が抑制される。
【００２３】
第７態様の構成によれば、不一致状態が生じたことのみを提示する構成に比べ、不一致状態を生じた印刷媒体を特定しやすい。
【００２４】
第８態様の構成によれば、特定情報が印刷された印刷媒体を、印刷ジョブの終了後に排出する構成に比べ、不一致状態を印刷ジョブの途中で生じた印刷媒体を特定しやすい。
【００２５】
第９態様の構成によれば、印刷を継続させることを優先したいであろう印刷ジョブを判断し、そのような印刷ジョブについて、不一致状態が発生しても印刷ジョブの実行を中断せずに継続することができる。
【００２６】
第１０態様の構成によれば、印刷を継続させることを優先したいであろう印刷ジョブを判断し、そのような印刷ジョブについて、不一致状態が発生しても印刷ジョブの実行を中断せずに継続することができる。
【図面の簡単な説明】
【００２７】
【図１】第１実施形態に係る印刷装置の構成を示す概略図である。
【図２】第１実施形態に係る制御装置のハードウェア構成を示すブロック図である。
【図３】第１実施形態に係る制御装置の機能構成の例を示すブロック図である。
【図４】第１実施形態に係る制御装置による印刷処理の流れを示すフローチャートである。
【図５】第２実施形態に係る制御装置による印刷処理の流れを示すフローチャートである。
【図６】第３実施形態に係る制御装置による印刷処理の流れを示すフローチャートである。
【図７】第４実施形態に係る制御装置の機能構成の例を示すブロック図である。
【図８】第４実施形態に係る制御装置による印刷処理の流れを示すフローチャートである。
【図９】第５実施形態に係る制御装置による印刷処理の流れを示すフローチャートである。
【図１０】第６実施形態に係る制御装置による印刷処理の流れを示すフローチャートである。
【発明を実施するための形態】
【００２８】
以下に、本発明に係る実施形態の一例を図面に基づき説明する。
【００２９】
《第１実施形態》
（印刷装置１０）
まず、本実施形態に係る印刷装置１０の構成を説明する。図１は、本実施形態に係る印刷装置１０の構成を示す概略図である。
【００３０】
印刷装置１０は、用紙Ｐに画像を印刷する「印刷装置」の一例である。具体的には、印刷装置１０は、取得した印刷ジョブに基づき、用紙Ｐに画像を印刷する。印刷ジョブとは、一回の印刷指示によって指示される印刷動作の処理単位をいう。
【００３１】
なお、印刷装置１０は、用紙Ｐに画像を形成する画像形成装置の一例でもある。また、用紙Ｐは、「印刷媒体」の一例である。用紙Ｐは、記録媒体の一例でもある。
【００３２】
印刷装置１０は、さらに具体的には、図１に示されるように、収容部２１、２２、２３と、印刷部３０と、後処理部６０と、排出部７１、７２と、第一検知部４１と、第二検知部４２と、制御装置５０と、を有している。
【００３３】
（収容部２１、２２、２３）
収容部２１、２２、２３は、「供給部」の一例である。収容部２１、２２、２３は、印刷部３０へ供給される用紙Ｐを収容する機能を有している。収容部２１、２２、２３は、具体的には、例えば、用紙Ｐが積載されて該用紙Ｐを収容する収容トレイで構成される。
【００３４】
収容部２１、２２、２３は、この順で、用紙Ｐを収容可能な枚数（以下、収容可能枚数という）が多くなっている。具体的には、収容部２１の収容可能枚数は、例えば５００枚、収容部２２の収容可能枚数は、例えば１２５０枚、収容部２３の収容可能枚数は、例えば２５００枚となっている。
【００３５】
収容部２１、２２、２３には、用紙Ｐの両側の側端に接触して、用紙Ｐの幅方向に用紙Ｐを位置決めする一対の位置決め部２９が設けられている。用紙Ｐの幅方向とは、用紙Ｐが搬送される搬送方向に対して交差する交差方向（図１の紙面の奥行方向）である。なお、図１では、一対の位置決め部２９のうち、一方側（具体的には図１の紙面奥側）に配置された位置決め部２９のみを図示している。また、収容部は、２つが備えられた構成であってもよいし、４つ以上備えられた構成であってもよい。
【００３６】
（搬送部２４）
搬送部２４は、収容部２１、２２、２３に収容された用紙Ｐを印刷部３０に搬送する機能を有している。具体的には、搬送部２４は、例えば、収容部２１、２２、２３の各々から用紙Ｐを送り出す送出ロール２５と、収容部２１、２２、２３から印刷部３０までの搬送経路２７に沿って複数配置された搬送ロール対２６と、を有している。
【００３７】
搬送部２４では、送出ロール２５が収容部２１、２２、２３のいずれかから用紙Ｐを送り出し、該用紙Ｐを複数の搬送ロール対２６が印刷部３０へ搬送することで、用紙Ｐが印刷部３０へ供給される。なお、搬送部２４は、例えば、収容部２１、２２、２３のうち、印刷ジョブにおいて指定された収容部から用紙Ｐを送り出して、該用紙Ｐを印刷部３０へ供給する。
【００３８】
（印刷部３０）
印刷部３０は、画像を用紙Ｐに印刷する機能を有している。具体的には、印刷部３０は、電子写真式により画像を用紙Ｐに印刷する。さらに具体的には、印刷部３０は、帯電、露光、現像、転写、及び定着の各工程を経て画像を用紙Ｐに印刷、すなわち、画像を形成する。したがって、印刷部３０は、画像を用紙Ｐに形成する画像形成部でもある。
【００３９】
（後処理部６０）
後処理部６０は、印刷部３０で印刷された用紙Ｐに対して後処理を実行可能な処理部である。後処理部６０は、例えば、印刷ジョブにおいて後処理の実行が指定された場合に、当該後処理を実行する。
【００４０】
後処理としては、用紙Ｐごとに実行される後処理と、複数の用紙Ｐで構成された部ごとに実行される後処理と、がある。用紙Ｐごとに実行される後処理としては、例えば、パンチ穴を形成する穴形成処理、及び用紙ＰをＺ状等に折る折り処理などが挙げられる。部ごとに実行される後処理としては、複数枚の用紙Ｐを綴じる綴じ処理、及び複数枚の用紙Ｐを製本する製本処理などが挙げられる。
【００４１】
（排出部７１、７２）
排出部７１、７２は、印刷された用紙Ｐが排出される部分である。排出部７１、７２は、上下に配置されている。具体的には、排出部７２が、排出部７１に対する下側に配置されている。排出部７２は、印刷部３０からの搬送経路２７の長さが、排出部７１における当該搬送経路２７の長さよりも長くなっている。したがって、印刷ジョブにおいて、排出先として排出部７１が指定される場合よりも、排出部７２が指定される場合において、印刷部３０からの搬送時間が長くなる。換言すれば、印刷ジョブにおいて、排出先として排出部７１が指定される場合よりも、排出部７２が指定される場合に、印刷時間（すなわち、印刷ジョブを実行する実行時間）が長くなる。
【００４２】
（第一検知部４１）
第一検知部４１は、用紙Ｐの前端（先端）と後端を検知する検知部である。この第一検知部４１は、収容部２１、２２、２３に対する搬送方向下流側であって、印刷部３０に対する搬送方向下流側の予め定められた基準位置に配置されている。第一検知部４１では、収容部２１、２２、２３から印刷部３０へ供給される用紙Ｐの前端と後端を基準位置にて検知する。第一検知部４１は、例えば、基準位置において発光する透過型の光センサで構成されている。なお、第一検知部４１の検知結果は、後述するように、用紙長さ（すなわち、用紙Ｐの搬送方向に沿った寸法）を検出するために用いられる。
【００４３】
（第二検知部４２）
第二検知部４２は、収容部２１、２２、２３の各々に設けられている。第二検知部４２の各々は、収容部２１、２２、２３の各々における一対の位置決め部２９の位置を検知する検知部である。第二検知部４２は、例えば、光センサ等を用いた位置センサで構成されている。なお、第二検知部４２の検知結果は、後述するように、用紙Ｐの用紙幅（すなわち、用紙Ｐの幅方向に沿った寸法）を検出するために用いられる。
【００４４】
（制御装置５０）
制御装置５０は、印刷装置１０の各部の動作を制御する装置である。図２には、制御装置５０のハードウェア構成を示すブロック図が示されている。
【００４５】
図２に示されるように、制御装置５０は、コンピュータとしての機能を備え、ＣＰＵ（Ｃｅｎｔｒａｌ  Ｐｒｏｃｅｓｓｉｎｇ  Ｕｎｉｔ：プロセッサ）５１、ＲＯＭ（Ｒｅａｄ  Ｏｎｌｙ  Ｍｅｍｏｒｙ）５２、ＲＡＭ（Ｒａｎｄｏｍ  Ａｃｃｅｓｓ  Ｍｅｍｏｒｙ）５３、ストレージ５４、ユーザインタフェース５５、通信インタフェース５６及びＩ／Ｏ５７を有している。制御装置５０の各部は、バス５９を介して相互に通信可能に接続されている。
【００４６】
ＣＰＵ５１は、中央演算処理ユニットであり、各種プログラムを実行したり、各部を制御したりする。すなわち、ＣＰＵ５１は、ＲＯＭ５２又はストレージ５４からプログラムを読み出し、ＲＡＭ５３を作業領域としてプログラムを実行する。ＣＰＵ５１は、ＲＯＭ５２又はストレージ５４に記録されているプログラムに従って、印刷装置１０の各部の制御および各種の演算処理を行う。
【００４７】
ＲＯＭ５２は、各種プログラムおよび各種データを格納する。ＲＡＭ５３は、作業領域として一時的にプログラム又はデータを記憶する。ストレージ５４は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）により構成され、オペレーティングシステムを含む各種プログラム、および各種データを格納する。
【００４８】
ユーザインタフェース５５は、ユーザが印刷装置１０を使用する際のインタフェースである。ユーザインタフェース５５は、例えば、ボタンやタッチパネル等の入力部及び液晶ディスプレイ等の表示部を有している。ユーザは、印刷ジョブを指示する指示者である。
【００４９】
通信インタフェース５６は、パソコン等のユーザ端末と通信するためのインタフェースである。通信インタフェース５６の通信方式としては、有線又は無線が用いられる。通信インタフェース５６の通信規格としては、例えば、イーサネット（登録商標）、ＦＤＤＩ、Ｗｉ−Ｆｉ（登録商標）等が用いられる。Ｉ／Ｏ５７は、ＣＰＵ５１を印刷装置１０の各部と接続する。
【００５０】
上記のプログラムを実行する際に、制御装置５０は、上記のハードウェア資源を用いて、各種の機能を実現する。制御装置５０が実現する機能構成について説明する。図３は、制御装置５０の機能構成の例を示すブロック図である。
【００５１】
図３に示されるように、制御装置５０は、機能構成として、取得部５０Ａと、検出部５０Ｂと、制御部５０Ｃと、閾値入力受付部５０Ｄと、指示入力受付部５０Ｅと、を有している。各機能構成は、ＣＰＵ５１がＲＯＭ５２又はストレージ５４に記憶された印刷プログラム及びテーブル情報を読み出し、実行することにより実現される。
【００５２】
取得部５０Ａは、印刷ジョブを取得する。印刷ジョブにおいて、用紙サイズ、用紙Ｐが送り出される収容部、用紙Ｐが排出される排出先、及び用紙Ｐの搬送速度等が指定される。取得部５０Ａは、印刷ジョブに関する印刷情報として、印刷ジョブにおいて指定された用紙サイズ、収容部、排出先、及び用紙Ｐの搬送速度等の情報を取得する。
【００５３】
なお、印刷ジョブは、例えば、通信インタフェース５６により通信可能なユーザ端末を通じた印刷指示によって入力され、当該印刷ジョブを取得部５０Ａが取得する。また、原稿を読取装置（具体的にはスキャナ）で読み取ることで印刷ジョブが生成され、当該印刷ジョブを取得部５０Ａが取得してもよい。
【００５４】
検出部５０Ｂは、印刷ジョブの実行中に収容部２１、２２、２３から供給された用紙Ｐの用紙サイズを検出する。検出部５０Ｂは、具体的には、収容部２１、２２、２３から送り出された用紙Ｐの用紙サイズを、以下のように検出する。なお、用紙サイズは、「印刷媒体の大きさ」の一例である。
【００５５】
検出部５０Ｂは、第一検知部４１が検出した検出結果に基づき、用紙長さ（すなわち、用紙Ｐの搬送方向に沿った寸法）を検出する。具体的には、検出部５０Ｂでは、第一検知部４１が検出した用紙Ｐの前端及び後端の通過時刻から求めた用紙Ｐの通過時間に、用紙Ｐの搬送速度を乗じた値を、用紙長さとして検出する。
【００５６】
さらに、検出部５０Ｂは、第二検知部４２が検出した検出結果に基づき、用紙Ｐの用紙幅（すなわち、用紙Ｐの幅方向に沿った寸法）を検出する。具体的には、検出部５０Ｂは、用紙Ｐが送り出された収容部に設けられた第二検知部４２が検知した一対の位置決め部２９の位置から求めた距離を、用紙Ｐの用紙幅（すなわち、用紙Ｐの幅方向に沿った寸法）として検出する。そして、検出部５０Ｂは、検出した用紙長さと用紙幅とから用紙サイズを検出する。
【００５７】
制御部５０Ｃは、印刷ジョブによって指定された用紙サイズと、印刷ジョブの実行中に収容部２１、２２、２３から供給された用紙Ｐの用紙サイズとが異なる不一致状態（以下、ミスマッチ状態という）が発生し、かつ、印刷ジョブの実行時間の見積もりが予め定められた閾値以上となる時間条件（以下、単に「時間条件」という）を満たさない場合に、印刷ジョブの実行を中断する中断制御（以下、単に「中断制御」という）を行う。
【００５８】
さらに、制御部５０Ｃは、ミスマッチ状態が発生し、かつ、時間条件を満たす場合は、印刷ジョブの実行を継続する継続制御（以下、単に「継続制御」という）を行う。
【００５９】
閾値入力受付部５０Ｄは、時間条件における閾値の入力を受け付ける。これにより、当該閾値の初期設定値が変更可能となる。なお、当該閾値の初期設定値は、例えば１０分とされる。これらの閾値は、例えば、通信インタフェース５６により通信可能なユーザ端末、又は、ユーザインタフェース５５のボタンやタッチパネル等の入力部により入力される。
【００６０】
（制御装置５０の作用）
次に、制御装置５０の作用について説明する。図４は、制御装置５０による印刷処理の流れを示すフローチャートである。
【００６１】
ＣＰＵ５１がＲＯＭ５２又はストレージ５４から印刷プログラムを読み出して実行することにより、印刷処理が行なわれる。
【００６２】
ＣＰＵ５１は、印刷ジョブを取得すると、印刷ジョブの実行を開始する（ステップＳ１０２）。すなわち、ＣＰＵ５１は、印刷ジョブを取得すると、印刷装置１０の各部を動作させる。これにより、搬送部２４が、印刷ジョブによって指定された収容部２１、２２、２３のいずれかから、用紙Ｐを印刷部３０へ向けて供給する。第一検知部４１は、印刷部３０へ向けて供給された用紙Ｐの前端と後端を検知する。この検知結果は、検出部５０Ｂが用紙サイズを検出するために用いられる。
【００６３】
ＣＰＵ５１は、印刷ジョブの実行時間の見積もりを開始する（ステップＳ１０４）。印刷ジョブの実行時間の見積もりは、例えば、下記（１）〜（３）を加算することで行われる。
【００６４】
（１）１枚目の用紙Ｐにおける処理時間
（２）２枚目以降の用紙Ｐにおける１枚当たりの処理時間×(印刷ジョブの印刷枚数−１)
（３）印刷物の部数単位で実行される後処理の１部当りの処理時間×部数
【００６５】
上記（１）の「１枚目の用紙Ｐにおける印刷時間」は、具体的には、例えば、１枚目の用紙Ｐが収容部２１、２２、２３から送り出されてから排出部７０に排出されるまでの時間である。
【００６６】
「１枚目の用紙Ｐにおける印刷時間」は、印刷ジョブによって指定された用紙サイズ、用紙Ｐの排出先、後処理の種類、及び後処理の有無等によって決定される。具体的には、例えば、ＲＯＭ５２又はストレージ５４に記憶されたテーブル情報において、印刷ジョブによって指定された用紙サイズ、用紙Ｐの排出先、後処理の種類、及び後処理の有無等に対して予め対応付けられた印刷時間に基づき、「１枚目の用紙Ｐにおける印刷時間」を決定する。
【００６７】
なお、ここでの後処理は、用紙Ｐ毎に実行される後処理である。当該後処理としては、前述のように、例えば、パンチ穴を形成する穴形成処理、及び用紙ＰをＺ状等に折る折り処理などが挙げられる。
【００６８】
上記（２）の「２枚目以降の用紙Ｐにおける１枚当たりの処理時間」は、前の用紙Ｐ（例えば１枚目の用紙）が排出部７０に排出されてから、当該用紙（例えば２枚目の用紙）が排出部７０に排出されるまでの時間である。
【００６９】
「２枚目以降の用紙Ｐにおける１枚当たりの処理時間」は、印刷ジョブによって指定された用紙サイズ、用紙Ｐの排出先、後処理の種類、及び後処理の有無等によって決定される。具体的には、例えば、ＲＯＭ５２又はストレージ５４に記憶されたテーブル情報において、印刷ジョブによって指定された用紙サイズ、用紙Ｐの排出先、後処理の種類、及び後処理の有無等に対して予め対応付けられた印刷時間に基づき、「２枚目以降の用紙Ｐにおける１枚当たりの処理時間」を決定する。なお、ここでの後処理は、用紙Ｐ毎に実行される後処理である。
【００７０】
また、複数部の印刷処理が実行される場合には、上記（２）において、「各部の印刷枚数×部数」が、「印刷ジョブの印刷枚数」となる。また、印刷ジョブが、原稿を読取装置（具体的にはスキャナ）で読み取ることで生成される場合には、例えば、原稿の読み取り毎に「２枚目以降の用紙Ｐにおける１枚当たりの処理時間」が加算される。
【００７１】
上記（３）の「印刷物の部数単位で実行される後処理の１部当りの処理時間」は、印刷ジョブによって指定された後処理の種類、及び後処理の有無等によって決定される。具体的には、例えば、ＲＯＭ５２又はストレージ５４に記憶されたテーブル情報において、印刷ジョブによって指定された後処理の種類、及び後処理の有無等に対して予め対応付けられた処理時間に基づき、「印刷物の部数単位で実行される後処理の１部当りの処理時間」を決定する。例えば、印刷物の部数単位で実行される後処理が印刷ジョブにおいて指定されていない場合は、当該処理時間は「０」となる。
【００７２】
なお、ここでの後処理は、印刷物の部ごとに実行される後処理である。部ごとに実行される後処理としては、前述のように、複数の用紙Ｐを綴じる綴じ処理、及び複数枚の用紙Ｐを製本する製本処理などが挙げられる。
【００７３】
ＣＰＵ５１は、ミスマッチ状態が発生したか否かを判断する（ステップＳ１０８）。ミスマッチ状態とは、前述のように、印刷ジョブによって指定された用紙サイズと、印刷ジョブの実行中に収容部２１、２２、２３から供給された用紙Ｐの用紙サイズとが異なる不一致状態である。なお、印刷ジョブの実行中に収容部２１、２２、２３から供給された用紙サイズは、前述のように、検出部５０Ｂが検出する。
【００７４】
ＣＰＵ５１は、ステップＳ１０８にて、ミスマッチ状態が発生してないと判断した場合に、印刷ジョブの実行が終了したか否か判断する（ステップＳ１１０）。ＣＰＵ５１は、ステップＳ１１０にて、印刷ジョブの実行が終了したと判断した場合に、印刷処理を終了する。ＣＰＵ５１は、ステップＳ１１０にて、印刷ジョブの実行が終了していないと判断した場合に、ステップＳ１０８に戻る。
【００７５】
ＣＰＵ５１は、ステップＳ１０８にて、ミスマッチ状態が発生したと判断した場合に、印刷ジョブの実行時間の見積もりが、予め定められた閾値（具体的には例えば１０分）以上であるかを判断する（ステップＳ１１４）。
【００７６】
ＣＰＵ５１は、ステップＳ１１４にて、印刷ジョブの実行時間の見積もりが、予め定められた閾値未満であると判断した場合に、印刷ジョブの実行を中断する（ステップＳ１１６）。これにより、印刷装置１０の各部の動作が停止する。具体的には、収容部２１、２２、２３による印刷部３０への用紙Ｐの供給動作、及び印刷部３０による用紙Ｐへの印刷動作などが停止する。
【００７７】
ＣＰＵ５１は、ステップＳ１１４にて、印刷ジョブの実行時間の見積もりが、予め定められた閾値以上であると判断した場合に、印刷ジョブの実行を継続し（ステップＳ１２６）、印刷ジョブの実行が終了したか否か判断する（ステップＳ１１０）。ＣＰＵ５１は、ステップＳ１１０にて、印刷ジョブの実行が終了したと判断した場合に、印刷処理を終了する。ＣＰＵ５１は、ステップＳ１１０にて、印刷ジョブの実行が終了していないと判断した場合に、ステップＳ１０８に戻る。本実施形態では、印刷ジョブの実行が終了する、又は印刷ジョブの実行を中断するまで、ミスマッチ状態が発生したか否かを判断する。なお、ミスマッチ状態が発生したか否かの判断は、収容部２１、２２、２３から印刷部３０へ向けて用紙Ｐが供給される毎に行われる。
【００７８】
以上のように、本実施形態では、制御部５０Ｃは、ミスマッチ状態が発生し、かつ、時間条件を満たす場合は、印刷ジョブの実行を継続する継続制御を行う。
【００７９】
したがって、本実施形態では、印刷を継続させることを優先したいであろう印刷ジョブを判断し、そのような印刷ジョブについて、ミスマッチ状態が発生しても印刷ジョブの実行が中断せずに継続される。
【００８０】
このように、本実施形態では、印刷装置１０が印刷を継続させることを優先したいであろう印刷ジョブを、印刷ジョブ毎に判断するので、印刷ジョブの実行の継続及び中断が、印刷ジョブ毎に決定される。
【００８１】
《第２実施形態》
次に、第２実施形態について説明する。図５は、第２実施形態における印刷処理の流れを示すフローチャートである。なお、第１実施形態と同一部分については、同一符号を付して、適宜、説明を省略する。
【００８２】
第２実施形態では、制御部５０Ｃは、時間条件を満たし、かつ、ミスマッチ状態が、印刷ジョブの実行により収容部２１、２２、２３から２枚目以降に供給された用紙Ｐにおいて発生した場合において、継続制御を行う。換言すれば、制御部５０Ｃは、時間条件を満たし、かつ、ミスマッチ状態が、印刷ジョブの実行により収容部２１、２２、２３から１枚目に供給された用紙Ｐにおいて発生した場合において、中断制御を行う。
【００８３】
以下に、第２実施形態に係る作用を説明する。
【００８４】
図５に示されるように、ＣＰＵ５１は、ステップＳ１１４にて、印刷ジョブの実行時間の見積もりが、予め定められた閾値以上であると判断した場合に、ミスマッチ状態が発生したのが、印刷ジョブの実行により収容部２１、２２、２３から２枚目以降に供給された用紙Ｐであるか否かを判断する（ステップＳ１１８）。
【００８５】
ＣＰＵ５１は、ステップＳ１１８にて、ミスマッチ状態が発生したのが、印刷ジョブの実行により収容部２１、２２、２３から１枚目に供給された用紙Ｐであると判断した場合に、印刷ジョブの実行を中断する（ステップＳ１１６）。
【００８６】
一方、ＣＰＵ５１は、ステップＳ１１８にて、ミスマッチ状態が発生したのが、印刷ジョブの実行により収容部２１、２２、２３から２枚目以降に供給された用紙Ｐであると判断した場合に、印刷ジョブの実行を継続する（ステップＳ１２６）。
【００８７】
以上のように、本実施形態では、制御部５０Ｃは、時間条件を満たし、かつ、ミスマッチ状態が、印刷ジョブの実行により収容部２１、２２、２３から２枚目以降に供給された用紙Ｐにおいて発生した場合において、継続制御を行う。
【００８８】
このため、ミスマッチ状態が、収容部２１、２２、２３から１枚目に供給された用紙Ｐにおいて発生した場合にも継続制御を行う場合に比べ、誤印刷枚数が低減される。すなわち、本実施形態では、ユーザが意図しないサイズの用紙に印刷される枚数が低減される。特に、収容部２１、２２、２３から１枚目に供給された用紙Ｐにおいてはミスマッチ状態が発生しておらず、２枚目以降に供給された用紙Ｐにおいてミスマッチ状態が発生したという場合は、ユーザが意図しないサイズの用紙が収容部の２枚目以降にたまたま混在していただけという可能性もあるが、収容部２１、２２、２３から１枚目に供給された用紙Ｐからミスマッチ状態が発生した場合は、ユーザの操作ミス等による指示ミスの可能性も考えられるため、本実施形態のように、印刷ジョブの実行を中断することが有効である。
【００８９】
《第３実施形態》
次に、第３実施形態について説明する。図６は、第３実施形態における印刷処理の流れを示すフローチャートである。なお、第１実施形態と同一部分については、同一符号を付して、適宜、説明を省略する。
【００９０】
第３実施形態では、制御部５０Ｃは、時間条件を満たし、かつ、ミスマッチ状態を検出した検出回数が予め定められた閾値以下である場合において、継続制御を行う。換言すれば、制御部５０Ｃは、時間条件を満たし、かつ、ミスマッチ状態を検出した検出回数が予め定められた閾値を超える場合において、中断制御を行う。
【００９１】
また、第３実施形態では、閾値入力受付部５０Ｄは、前述の検出回数における閾値の入力を受け付ける。これにより、当該閾値の初期設定値が変更可能となる。なお、当該閾値の初期設定値は、例えば３回とされる。
【００９２】
以下に、第３実施形態に係る作用を説明する。
【００９３】
図６に示されるように、ＣＰＵ５１は、ステップＳ１０８にて、ミスマッチ状態が発生したと判断した場合に、ミスマッチ状態を検出した検出回数として、１回を加算する（ステップＳ１１２）。
【００９４】
さらに、ＣＰＵ５１は、ステップＳ１１４にて、印刷ジョブの実行時間の見積もりが、予め定められた閾値以上であると判断した場合に、ミスマッチ状態を検出した検出回数が予め定められた閾値（具体的には、例えば３回）以下であるか判断する（ステップＳ１２０）。
【００９５】
ＣＰＵ５１は、ステップＳ１２０にて、ミスマッチ状態を検出した検出回数が予め定められた閾値を超えると判断した場合に、印刷ジョブの実行を中断する（ステップＳ１１６）。一方、ＣＰＵ５１は、ステップＳ１２０にて、ミスマッチ状態を検出した検出回数が予め定められた閾値以下であると判断した場合に、印刷ジョブの実行を継続する（ステップＳ１２６）。
【００９６】
以上のように、本実施形態では、制御部５０Ｃは、時間条件を満たし、かつ、ミスマッチ状態を検出した検出回数が予め定められた閾値以下である場合において、継続制御を行う。
【００９７】
このため、ミスマッチ状態を検出した検出回数が予め定められた閾値を超える場合にも継続制御を行う場合に比べ、誤印刷枚数が低減される。すなわち、本実施形態では、ユーザが意図しないサイズの用紙に印刷される枚数が低減される。
【００９８】
また、本実施形態では、閾値入力受付部５０Ｄは、前述の検出回数における閾値の入力を受け付ける。このため、当該閾値が一定である構成に比べ、継続制御を行う条件が調整しやすい。
【００９９】
《第４実施形態》
次に、第４実施形態について説明する。図７は、第４実施形態に係る制御装置の機能構成の例を示すブロック図である。図８は、第４実施形態における印刷処理の流れを示すフローチャートである。なお、第１実施形態と同一部分については、同一符号を付して、適宜、説明を省略する。
【０１００】
第４実施形態では、図７に示されるように、制御装置５０は、取得部５０Ａ、検出部５０Ｂ、制御部５０Ｃ、及び閾値入力受付部５０Ｄに加えて、指示入力受付部５０Ｅを有している。
【０１０１】
制御部５０Ｃは、印刷ジョブにおいて指定された収容部２１、２２、２３の用紙Ｐが無くなると、用紙Ｐが供給される収容部を他の収容部に切り替える切替制御（以下、単に「切替制御」という）を実行可能である。なお、切替制御の実行、又は非実行は、例えば、印刷ジョブにおいて指定される。
【０１０２】
指示入力受付部５０Ｅは、切替制御の非実行が指示され、且つ、印刷ジョブにおいて収容枚数が予め定められた枚数（例えば５００枚）以下である収容部（具体的には収容部２１）が指定されている場合に継続制御を行うか否かについて、指示入力を受け付ける。当該指示は、例えば、通信インタフェース５６により通信可能なユーザ端末、又は、ユーザインタフェース５５のボタンやタッチパネル等の入力部により入力される。
【０１０３】
さらに、制御部５０Ｃは、指示入力受付部５０Ｅが継続制御を行う指示を受け付けた場合に切替制御を実行する。すなわち、制御部５０Ｃは、指示入力受付部５０Ｅが継続制御を行う指示を受け付けた場合には、切替制御を強制的に実行する。
【０１０４】
以下に、第４実施形態に係る作用を説明する。
【０１０５】
図８に示されるように、ＣＰＵ５１は、ステップＳ１０４の後、切替制御の非実行が指示され、且つ、印刷ジョブにおいて収容枚数が予め定められた枚数（例えば、５００枚）以下である収容部（具体的には収容部２１）が指定されている場合に継続制御を行うか否かについて、問い合わせる（ステップＳ１０６）。具体的には、ＣＰＵ５１は、例えば、印刷ジョブの実行中断及び印刷ジョブの実行継続のどちらからを選択可能な選択画面を、通信インタフェース５６により通信可能なユーザ端末、又はユーザインタフェース５５の表示部に表示させて、処理を選択させる。予め定められた時間経過しても、当該処理が選択されなかった場合は、ＣＰＵ５１は、一方の処理（例えば印刷ジョブの実行中断）を選択する。
【０１０６】
さらに、ＣＰＵ５１は、ステップＳ１１４にて、印刷ジョブの実行時間の見積もりが、予め定められた閾値以上であると判断した場合に、印刷ジョブにおいて、切替制御の非実行が指示され、且つ、収容部として収容部２１が指定されているか否かを判断する（ステップＳ１２２）。
【０１０７】
ＣＰＵ５１は、ステップＳ１２２にて、印刷ジョブにおいて、切替制御の非実行が指示され、且つ、収容部として収容部２１が指定されていると判断した場合には、印刷ジョブの実行継続がステップＳ１０６において選択されているか否かを判断する（ステップＳ１２４）。
【０１０８】
ＣＰＵ５１は、ステップＳ１２４にて、印刷ジョブの実行継続がステップＳ１０６において選択されていないと判断した場合に、印刷ジョブの実行を中断する（ステップＳ１１６）。一方、ＣＰＵ５１は、ステップＳ１２４にて、印刷ジョブの実行継続がステップＳ１０６において選択されている場合には、印刷ジョブの実行を継続する（ステップＳ１２６）。なお、この場合は、切替制御を強制的に実行される。
【０１０９】
以上のように、本実施形態では、指示入力受付部５０Ｅは、切替制御の非実行が指示され、且つ、印刷ジョブにおいて収容枚数が予め定められた枚数以下である収容部（具体的には収容部２１）が指定されている場合に、継続制御を行うか否かの指示入力を受け付ける。
【０１１０】
このため、切替制御の非実行が指示され、且つ印刷ジョブにおいて収容部２１が指定されている場合に、必ず中断制御を行う構成に比べ、印刷物の生産性の低下が抑制される。
【０１１１】
また、制御部５０Ｃは、指示入力受付部５０Ｅが継続制御を行う指示を受け付けた場合に切替制御を実行する。
【０１１２】
このため、指示入力受付部５０Ｅが継続制御を行う指示を受け付けた場合でも、切替制御が非実行のままである構成に比べ、印刷物の生産性の低下が抑制される。
【０１１３】
本実施形態では、切替制御の非実行が指示され、且つ、印刷ジョブにおいて収容枚数が予め定められた枚数以下である収容部が指定されている場合に継続制御を行うか否かについて問い合わせていたが、これに限られない。例えば、当該場合において、印刷ジョブの実行中断を行うか、印刷ジョブの実行継続を行うか、ミスマッチ状態の検知の提示を行うかの三択について問い合わせるようにしてもよい。
【０１１４】
ミスマッチ状態の検知の提示が選択された場合は、例えば、ミスマッチ状態を検知した情報と、ユーザによる用紙Ｐの入れ替え、及び印刷ジョブの実行継続のどちらかを選択可能な選択画面とを、通信インタフェース５６により通信可能なユーザ端末、又は、ユーザインタフェース５５の液晶ディスプレイ等の表示部などに表示する。印刷ジョブの実行継続が選択された場合に、印刷ジョブの実行の継続を行う。また、予め定められた時間経過しても、選択が行われなかった場合は、例えば、印刷ジョブの実行の継続を行う。なお、印刷ジョブの実行の継続を行う場合は、切替制御を強制的に実行する。
【０１１５】
《第５実施形態》
次に、第５実施形態について説明する。図９は、第５実施形態における印刷処理の流れを示すフローチャートである。なお、第１実施形態と同一部分については、同一符号を付して、適宜、説明を省略する。
【０１１６】
第５実施形態では、制御部５０Ｃは、継続制御を行う場合に、ミスマッチ状態を生じた用紙Ｐを特定する特定情報を提示する提示制御（以下、単に「提示制御」という）を行う。当該提示制御は、具体的には、特定情報が印刷された用紙Ｐを排出する制御とされる。当該提示制御は、さらに具体的には、ミスマッチ状態を生じ且つ排出部７０に排出された用紙Ｐの次に、特定情報が印刷された用紙Ｐを排出する制御である。用紙Ｐに印刷される特定情報としては、「特定情報が印刷された用紙Ｐの下の用紙Ｐにおいてミスマッチ状態が生じた旨を示す情報」が挙げられる。
【０１１７】
なお、特定情報は、例えば、通信インタフェース５６により通信可能なユーザ端末、又は、ユーザインタフェース５５の液晶ディスプレイ等の表示部などに表示することで提示してもよい。
【０１１８】
以下に、第５実施形態に係る作用を説明する。
【０１１９】
図９に示されるように、ＣＰＵ５１は、ステップＳ１２６の後、提示制御を行う（ステップＳ１２８）。これにより、ミスマッチ状態を生じ且つ排出部７０に排出された用紙Ｐの次に、特定情報が印刷された用紙Ｐが排出される。
【０１２０】
以上のように、本実施形態では、制御部５０Ｃは、継続制御を行う場合に、ミスマッチ状態を生じた用紙Ｐを特定する特定情報を提示する提示制御を行う。
【０１２１】
このため、ミスマッチ状態が生じたことのみを提示する構成に比べ、ミスマッチ状態を生じた用紙Ｐを特定しやすい。
【０１２２】
また、本実施形態では、提示制御は、ミスマッチ状態を生じ且つ排出部７０に排出された用紙Ｐの次に、特定情報が印刷された用紙Ｐを排出する制御である。
【０１２３】
このため、特定情報が印刷された用紙Ｐを、印刷ジョブの終了後に排出する構成に比べ、ミスマッチ状態を印刷ジョブの途中で生じた用紙Ｐを特定しやすい。
【０１２４】
なお、本実施形態では、ミスマッチ状態を生じ且つ排出部７０に排出された用紙Ｐの次に、特定情報が印刷された用紙Ｐを排出していたが、これに限られない。例えば、特定情報が印刷された用紙Ｐを、印刷ジョブの終了後に排出する構成を用いてもよい。
【０１２５】
《第６実施形態》
前述の第２〜第５実施形態は、適宜、複数を組み合わせて実施してもよい。ここで、第６実施形態として、第２〜第５実施形態のすべてを組み合わせて実施する構成を説明する。図１０は、第６実施形態における印刷処理の流れを示すフローチャートである。なお、第１〜５実施形態と同一部分については、同一符号を付して、適宜、説明を省略する。
【０１２６】
第６実施形態では、第４実施形態と同様に、制御装置５０は、図７に示されるように、取得部５０Ａ、検出部５０Ｂ、制御部５０Ｃ、及び閾値入力受付部５０Ｄに加えて、指示入力受付部５０Ｅを有している。
【０１２７】
第６実施形態では、制御部５０Ｃは、時間条件を満たし、かつ、ミスマッチ状態が、印刷ジョブの実行により収容部２１、２２、２３から２枚目以降に供給された用紙Ｐにおいて発生した場合であって、ミスマッチ状態を検出した検出回数が予め定められた閾値以下である場合において、継続制御を行う。換言すれば、制御部５０Ｃは、時間条件を満たし、かつ、ミスマッチ状態が、印刷ジョブの実行により収容部２１、２２、２３から１枚目に供給された用紙Ｐにおいて発生した場合において、中断制御を行う。また、制御部５０Ｃは、時間条件を満たし、かつ、ミスマッチ状態を検出した検出回数が予め定められた閾値を超える場合において、中断制御を行う。
【０１２８】
以下に、第６実施形態に係る作用を説明する。
【０１２９】
図１０に示されるように、ＣＰＵ５１は、ステップＳ１０８にて、ミスマッチ状態が発生したと判断した場合に、ミスマッチ状態を検出した検出回数として、１回を加算する（ステップＳ１１２）。
【０１３０】
ＣＰＵ５１は、ステップＳ１１４にて、印刷ジョブの実行時間の見積もりが、予め定められた閾値以上であると判断した場合に、ミスマッチ状態が発生したのが、印刷ジョブの実行により収容部２１、２２、２３から２枚目以降に供給された用紙Ｐであるか否かを判断する（ステップＳ１１８）。
【０１３１】
ＣＰＵ５１は、ステップＳ１１８にて、ミスマッチ状態が発生したのが、印刷ジョブの実行により収容部２１、２２、２３から１枚目に供給された用紙Ｐであると判断した場合に、印刷ジョブの実行を中断する（ステップＳ１１６）。
【０１３２】
ＣＰＵ５１は、ステップＳ１１８にて、ミスマッチ状態が発生したのが、印刷ジョブの実行により収容部２１、２２、２３から２枚目以降に供給された用紙Ｐであると判断した場合に、ミスマッチ状態を検出した検出回数が予め定められた閾値（具体的には、例えば３回）以下であるか判断する（ステップＳ１２０）。
【０１３３】
ＣＰＵ５１は、ステップＳ１２０にて、ミスマッチ状態を検出した検出回数が予め定められた閾値を超えると判断した場合に、印刷ジョブの実行を中断する（ステップＳ１１６）。
【０１３４】
ＣＰＵ５１は、ステップＳ１２０にて、ミスマッチ状態を検出した検出回数が予め定められた閾値以下であると判断した場合に、印刷ジョブにおいて、切替制御の非実行が指示され、且つ、収容部として収容部２１が指定されているか否かを判断する（ステップＳ１２２）。
【０１３５】
ＣＰＵ５１は、ステップＳ１２２にて、印刷ジョブにおいて、切替制御の非実行が指示され、且つ、収容部として収容部２１が指定されていると判断した場合には、印刷ジョブの実行継続がステップＳ１０６において選択されているか否かを判断する（ステップＳ１２４）。
【０１３６】
ＣＰＵ５１は、ステップＳ１２４にて、印刷ジョブの実行継続がステップＳ１０６において選択されていないと判断した場合に、印刷ジョブの実行を中断する（ステップＳ１１６）。一方、ＣＰＵ５１は、ステップＳ１２４にて、印刷ジョブの実行継続がステップＳ１０６において選択されていると判断した場合には、印刷ジョブの実行を継続する（ステップＳ１２６）。
【０１３７】
ＣＰＵ５１は、ステップＳ１２６の後、提示制御を行う（ステップＳ１２８）。これにより、ミスマッチ状態を生じ且つ排出部７０に排出された用紙Ｐの次に、特定情報が印刷された用紙Ｐが排出される。
【０１３８】
以上のように、本実施形態では、制御部５０Ｃは、時間条件を満たし、かつ、ミスマッチ状態が、印刷ジョブの実行により収容部２１、２２、２３から２枚目以降に供給された用紙Ｐにおいて発生した場合であって、ミスマッチ状態を検出した検出回数が予め定められた閾値以下である場合において、継続制御を行う。
【０１３９】
このため、ミスマッチ状態が、収容部２１、２２、２３から１枚目に供給された用紙Ｐにおいて発生した場合にも継続制御を行う場合、及び、ミスマッチ状態を検出した検出回数が予め定められた閾値を超える場合にも継続制御を行う場合に比べ、誤印刷枚数が低減される。すなわち、本実施形態では、ユーザが意図しないサイズの用紙に印刷される枚数が低減される。
【０１４０】
（変形例）
本実施形態では、制御部５０Ｃは、ミスマッチ状態が発生し、かつ、時間条件を満たさない場合に、中断制御を行い、ミスマッチ状態が発生し、かつ、時間条件を満たす場合は、継続制御を行っていたが、これに限られない。例えば、制御部５０Ｃは、ミスマッチ状態が発生し、かつ、印刷ジョブによる印刷枚数が予め定められた閾値以上となる枚数条件を満たさない場合に、中断制御を行い、ミスマッチ状態が発生し、かつ、当該枚数条件を満たす場合は、継続制御を行う構成であってもよい。閾値としては、収容部２１の収容可能枚数を超える枚数とされる。具体的には、閾値は、例えば、６００枚とされる。本変形例では、閾値入力受付部５０Ｄが、枚数条件における閾値の入力を受け付けるように構成されていてもよい。
【０１４１】
本発明は、上記の実施形態に限るものではなく、その主旨を逸脱しない範囲内において種々の変形、変更、改良が可能である。
【符号の説明】
【０１４２】
１０   印刷装置
２１、２２、２３     収容部（供給部の一例）
５０Ａ 取得部
５０Ｃ 制御部
５０Ｄ 閾値入力受付部
５０Ｅ 指示入力受付部
Ｐ     用紙（印刷媒体の一例）
【図１】
2020160188.tif 000003
【図２】
2020160188.tif 000004
【図３】
2020160188.tif 000005
【図４】
2020160188.tif 000006
【図５】
2020160188.tif 000007
【図６】
2020160188.tif 000008
【図７】
2020160188.tif 000009
【図８】
2020160188.tif 000010
【図９】
2020160188.tif 000011
【図１０】
2020160188.tif 000012